(57)【要約】【課題】本発明は補修用昇降機を開示した。【解決手段】前記頂座の下端面に左右対称の第一支持レバーが固定的に設置され、前記第一支持レバーの下端面にスタンドが固定的に設置され、前記頂座の上端面に左右対称の第二支持レバーと第三支持レバーが固定的に設置され、前記第二支持レバーの上端面にクリップが固定的に設置され、前記第三支持レバーの上端面に第一電気ローラーが固定的に設置され、前記第一電気ローラーの出力軸の前端面に第一巻線器が固定的に設置され、前記第一コードリールの外表面にロープが設置され、前記第一支持レバーの外表面に第一滑りアームがスライド可能なように設置される。【選択図】図3
2019182644.tif 000002
【特許請求の範囲】
【請求項１】
補修用昇降機であって、頂座を含み、前記頂座の下端面に左右対称の第一支持レバーが固定的に設置され、前記第一支持レバーの下端面にスタンドが固定的に設置され、前記頂座の上端面に左右対称の第二支持レバーと第三支持レバーが固定的に設置され、前記第二支持レバーの上端面にクリップが固定的に設置され、前記第三支持レバーの上端面に第一電気ローラーが固定的に設置され、前記第一電気ローラーの出力軸の前端面に第一巻線器が固定的に設置され、前記第一コードリールの外表面にロープが設置され、前記第一支持レバーの外表面に第一滑りアームがスライド可能なように設置され、前記頂座の中に向かう前記第一滑りアームの端面に座席が固定的に設置され、前記座席の上端面に左右に通り抜けて上に向かうキャビティが設置され、前記キャビティに第二コードリールが回転可能なように設置され、前記第一コードリールの外表面に設置されるロープは前記第二コードリールを迂回し前記クリップと固定し、前記頂座の中に向かう前記座席の端面の間に第二滑りアームが固定的に設置され、前記第二滑りアームの外表面に取付ブロックが固定的に設置され、前記取付ブロックに下に向かう穴筐体が固定的に設置され、前記穴筐体の上端壁に第二電気ローラーが固定的に設置され、前記第二電気ローラーの出力軸の下端面に第一錐輪が固定的に設置され、前記第一錐輪の左右側に左右対称に第二錐輪が噛み合って設置され、前記頂座の中の前記第二錐輪と離れる端面にねじ軸が固定的に設置され、前記ねじ軸が回転可能なように前記穴筐体を通り抜けて前記キャビティと回転可能なように係合し接続し、前記ねじ軸の外表面に滑り止めブロックがねじで係合し接続し設置され、前記滑り止めブロックが前記第二滑りアームと摺動可能なように係合して接続し、前記頂座の中に向かう前記座席の端面に下に向かう圧合穴が固定的に設置され、前記圧合穴の上端壁に滑り止め筐体が設置され、前記頂座の中の前記滑り止め筐体と離れる端面に第三電気ローラーが固定的に設置され、前記第三電気ローラーの出力軸が前記滑り止め筐体の端壁と回転可能なように係合し接続し、前記第三電気ローラーの出力軸の外表面に前記滑り止め筐体と摺動可能なように係合して接続するプラテンがねじで係合し接続し設置され、前記プラテンが前記圧合穴に入って、前記頂座の中の前記圧合穴と離れる端面の間にハンガーが固定的に設置され、前記ハンガーの外表面に数組の軸柄がスライド可能なように設置され、前記軸柄の下側に取付体が設置され、前記取付体に回転穴が固定的に設置され、前記回転穴の上端壁に上に向かう第一横切筐体が設置され、前記回転穴の下端壁に下に向かう第二横切筐体が設置され、前記軸柄が前記第一横切筐体に入ってボルトを通じて前記取付体と固定し、前記回転穴に回転ブロックが回転可能なように設置され、前記回転ブロックの下端面にラダーが設置され、前記ラダーが前記第二横切筐体を通り抜けて外部空間に伸びて、前記ラダーの下側に登高台が設置され、前記登高台の上側に数組の前記登高台に位置し前後に通り抜ける穴溝が設置され、前記穴溝に輪体が設置され、前記輪体が前記ラダーの外表面に掛けて、前記頂座の中の一番外側と離れる前記軸柄が前記プラテンに前記圧合穴に取り付けられ、前記頂座の中に近づく前記軸柄が前記滑り止めブロックと固定し、前記スタンドが地面に置かれ、前記スタンドに重層体が固定的に設置され、前記頂座に高速ベアリングが設置されることを特徴とする補修用昇降機。
【発明の詳細な説明】
【技術分野】
【０００１】
本発明は昇降機分野に関し、具体的には補修用昇降機に関する。
【背景技術】
【０００２】
高い設備を補修する時に昇降機を使用する必要があり、現在の昇降機の構造が複雑で、壊れやすく、使用が不便な問題が存在し、コストも高く、多くの企業が使用することに不利である。
【先行技術文献】
【特許文献】
【０００３】
【特許文献１】中国特許出願公開第104150409号明細書
【発明の概要】
【発明が解決しようとする課題】
【０００４】
本発明は解決する必要な技術問題に対して補修用昇降機を提供し、それは上記の現在の技術問題を解決できる。
【課題解決するための手段】
【０００５】
本発明によれば、補修用昇降機は頂座を含み、前記頂座の下端面に左右対称の第一支持レバーが固定的に設置され、前記第一支持レバーの下端面にスタンドが固定的に設置され、前記頂座の上端面に左右対称の第二支持レバーと第三支持レバーが固定的に設置され、前記第二支持レバーの上端面にクリップが固定的に設置され、前記第三支持レバーの上端面に第一電気ローラーが固定的に設置され、前記第一電気ローラーの出力軸の前端面に第一巻線器が固定的に設置され、前記第一コードリールの外表面にロープが設置され、前記第一支持レバーの外表面に第一滑りアームがスライド可能なように設置され、前記頂座の中に向かう前記第一滑りアームの端面に座席が固定的に設置され、前記座席の上端面に左右に通り抜けて上に向かうキャビティが設置され、前記キャビティに第二コードリールが回転可能なように設置され、前記第一コードリールの外表面に設置されるロープは前記第二コードリールを迂回し前記クリップと固定し、前記頂座の中に向かう前記座席の端面の間に第二滑りアームが固定的に設置され、前記第二滑りアームの外表面に取付ブロックが固定的に設置され、前記取付ブロックに下に向かう穴筐体が固定的に設置され、前記穴筐体の上端壁に第二電気ローラーが固定的に設置され、前記第二電気ローラーの出力軸の下端面に第一錐輪が固定的に設置され、前記第一錐輪の左右側に左右対称に第二錐輪が噛み合って設置され、前記頂座の中の前記第二錐輪と離れる端面にねじ軸が固定的に設置され、前記ねじ軸が回転可能なように前記穴筐体を通り抜けて前記キャビティと回転可能なように係合し接続し、前記ねじ軸の外表面に滑り止めブロックがねじで係合し接続し設置され、前記滑り止めブロックが前記第二滑りアームと摺動可能なように係合して接続し、前記頂座の中に向かう前記座席の端面に下に向かう圧合穴が固定的に設置され、前記圧合穴の上端壁に滑り止め筐体が設置され、前記頂座の中の前記滑り止め筐体と離れる端面に第三電気ローラーが固定的に設置され、前記第三電気ローラーの出力軸が前記滑り止め筐体の端壁と回転可能なように係合し接続し、前記第三電気ローラーの出力軸の外表面に前記滑り止め筐体と摺動可能なように係合して接続するプラテンがねじで係合し接続し設置され、前記プラテンが前記圧合穴に入って、前記頂座の中の前記圧合穴と離れる端面の間にハンガーが固定的に設置され、前記ハンガーの外表面に数組の軸柄がスライド可能なように設置され、前記軸柄の下側に取付体が設置され、前記取付体に回転穴が固定的に設置され、前記回転穴の上端壁に上に向かう第一横切筐体が設置され、前記回転穴の下端壁に下に向かう第二横切筐体が設置され、前記軸柄が前記第一横切筐体に入ってボルトを通じて前記取付体と固定し、前記回転穴に回転ブロックが回転可能なように設置され、前記回転ブロックの下端面にラダーが設置され、前記ラダーが前記第二横切筐体を通り抜けて外部空間に伸びて、前記ラダーの下側に登高台が設置され、前記登高台の上側に数組の前記登高台に位置し前後に通り抜ける穴溝が設置され、前記穴溝に輪体が設置され、前記輪体が前記ラダーの外表面に掛けて、前記頂座の中の一番外側と離れる前記軸柄が前記プラテンに前記圧合穴に取り付けられ、前記頂座の中に近づく前記軸柄が前記滑り止めブロックと固定する。
【０００６】
更の技術方案は前記スタンドが地面に置かれ、前記スタンドに重層体が固定的に設置され、これにより設備の安定性を高める。
【０００７】
更の技術方案は前記頂座に高速ベアリングが設置され、これにより設備の昇降性能を高める。
【０００８】
本発明の有益な効果は、本発明に係る設備は初期状態の時、前記第一電気ローラーは仕事停止状態にあり、前記滑り止めブロックが内側の限界位置に位置し、前記プラテンが前記軸柄を前記圧合穴の一番外側の内壁に制限し、これにより上記の構造が初期状態の時に初期位置に位置し、後の仕事を調整でき、有効的に設備の協調性を高める。
【０００９】
設備が動作する時に、補修する必要な範囲によって調整する時に、前記第二電気ローラーが動作し、前記第一錐輪を回転可能なように駆動し、前記第一錐輪と噛み合う前記第二錐輪が回転可能なようにした後、前記滑り止めブロックと連動して外側に運行し、前記軸柄と連動して外側に運行し、前記ラダーが前記登高台と連動して外側に移動し、密閉する前記登高台を開き、左右両側の修理範囲を増加し、設備の調節性能を高める。
【００１０】
前記登高台の高さを調整する必要な時、前記第一電気ローラーが前記第一巻線器を回転可能なように駆動し、前記座席が上下に移動し、前記座席の高さを変化し前記登高台と連動して高さを変化し、設備の調節便利性を高める。
【００１１】
本発明に係る設備の構造が簡単で、使用が便利で、この設備は第二アスリート構造を使って登高台と連動して制御し、車輪構造を使ってロープを引いて設備の高さを調整し、有効的に設備の信頼性を高める。
【００１２】
以上に述べたのはただ本発明のより良い実施例で、本発明を限定することに使用されない。本発明の意義と原則のもとで行う全ての修正、同等の入れ替えと改善などは本発明の保護範囲に含まれる。
【発明の効果】
【００１３】
本発明の有益な効果は、本発明に係る設備は初期状態の時、前記第一電気ローラーは仕事停止状態にあり、前記滑り止めブロックが内側の限界位置に位置し、前記プラテンが前記軸柄を前記圧合穴の一番外側の内壁に制限し、これにより上記の構造が初期状態の時に初期位置に位置し、後の仕事を調整でき、有効的に設備の協調性を高める。
【図面の簡単な説明】
【００１４】
本発明の実施例また既存の技術の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１５】
【図１】図１は本発明の補修用昇降機の全体構造概略図である。
【図２】図２は図１の中のAの拡大概略図である。
【図３】図３は図１の中の座席の俯視構造概略図である。
【発明を実施するための形態】
【００１６】
本明細書に開示した全ての特徴、或いは開示した全ての方法、過程中のステップは、互いに排斥する特徴或いはステップ以外に、いかなる方式で組み合わせることができる。
【００１７】
本明細書（すべての従属請求項、要約と図面を含む）に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００１８】
図1~3が示すように、本発明の補修用昇降機は頂座111を含み、前記頂座111の下端面に左右対称の第一支持レバー101が固定的に設置され、前記第一支持レバー101の下端面にスタンド100が固定的に設置され、前記頂座111の上端面に左右対称の第二支持レバー112と第三支持レバー116が固定的に設置され、前記第二支持レバー112の上端面にクリップ113が固定的に設置され、前記第三支持レバー116の上端面に第一電気ローラー115が固定的に設置され、前記第一電気ローラー115の出力軸の前端面に第一巻線器114が固定的に設置され、前記第一コードリール114の外表面にロープが設置され、前記第一支持レバー101の外表面に第一滑りアーム106がスライド可能なように設置され、前記頂座111の中に向かう前記第一滑りアーム106の端面に座席107が固定的に設置され、前記座席107の上端面に左右に通り抜けて上に向かうキャビティ109が設置され、前記キャビティ109に第二コードリール110が回転可能なように設置され、前記第一コードリール114の外表面に設置されるロープは前記第二コードリール110を迂回し前記クリップ113と固定し、前記頂座111の中に向かう前記座席107の端面の間に第二滑りアーム125が固定的に設置され、前記第二滑りアーム125の外表面に取付ブロック120が固定的に設置され、前記取付ブロック120に下に向かう穴筐体122が固定的に設置され、前記穴筐体122の上端壁に第二電気ローラー121が固定的に設置され、前記第二電気ローラー121の出力軸の下端面に第一錐輪119が固定的に設置され、前記第一錐輪119の左右側に左右対称に第二錐輪118が噛み合って設置され、前記頂座111の中の前記第二錐輪118と離れる端面にねじ軸108が固定的に設置され、前記ねじ軸108が回転可能なように前記穴筐体122を通り抜けて前記キャビティ109と回転可能なように係合し接続し、前記ねじ軸108の外表面に滑り止めブロック117がねじで係合し接続し設置され、前記滑り止めブロック117が前記第二滑りアーム125と摺動可能なように係合して接続し、前記頂座111の中に向かう前記座席107の端面に下に向かう圧合穴201が固定的に設置され、前記圧合穴201の上端壁に滑り止め筐体200が設置され、前記頂座111の中の前記滑り止め筐体200と離れる端面に第三電気ローラー213が固定的に設置され、前記第三電気ローラー213の出力軸が前記滑り止め筐体200の端壁と回転可能なように係合し接続し、前記第三電気ローラー213の出力軸の外表面に前記滑り止め筐体200と摺動可能なように係合して接続するプラテン212がねじで係合し接続し設置され、前記プラテン212が前記圧合穴201に入って、前記頂座111の中の前記圧合穴201と離れる端面の間にハンガー104が固定的に設置され、前記ハンガー104の外表面に数組の軸柄211がスライド可能なように設置され、前記軸柄211の下側に取付体210が設置され、前記取付体210に回転穴202が固定的に設置され、前記回転穴202の上端壁に上に向かう第一横切筐体209が設置され、前記回転穴202の下端壁に下に向かう第二横切筐体207が設置され、前記軸柄211が前記第一横切筐体209に入ってボルトを通じて前記取付体210と固定し、前記回転穴202に回転ブロック208が回転可能なように設置され、前記回転ブロック208の下端面にラダー203が設置され、前記ラダー203が前記第二横切筐体207を通り抜けて外部空間に伸びて、前記ラダー203の下側に登高台103が設置され、前記登高台103の上側に数組の前記登高台103に位置し前後に通り抜ける穴溝205が設置され、前記穴溝205に輪体206が設置され、前記輪体206が前記ラダー203の外表面に掛けて、前記頂座111の中の一番外側と離れる前記軸柄211が前記プラテン212に前記圧合穴201に取り付けられ、前記頂座111の中に近づく前記軸柄211が前記滑り止めブロック117と固定する。
【００１９】
好ましくは前記スタンド100が地面に置かれ、前記スタンド100に重層体が固定的に設置され、これにより設備の安定性を高める。
【００２０】
好ましくは前記頂座111に高速ベアリングが設置され、これにより設備の昇降性能を高める。
【００２１】
本発明に係る設備は初期状態の時、前記第一電気ローラー115は仕事停止状態にあり、前記滑り止めブロック117が内側の限界位置に位置し、前記プラテン212が前記軸柄211を前記圧合穴201の一番外側の内壁に制限し、これにより上記の構造が初期状態の時に初期位置に位置し、後の仕事を調整でき、有効的に設備の協調性を高める。
【００２２】
設備が動作する時に、補修する必要な範囲によって調整する時に、前記第二電気ローラー121が動作し、前記第一錐輪119を回転可能なように駆動し、前記第一錐輪119と噛み合う前記第二錐輪118が回転可能なようにした後、前記滑り止めブロック117と連動して外側に運行し、前記軸柄211と連動して外側に運行し、前記ラダー203が前記登高台103と連動して外側に移動し、密閉する前記登高台103を開き、左右両側の修理範囲を増加し、設備の調節性能を高める。
【００２３】
前記登高台103の高さを調整する必要な時、前記第一電気ローラー115が前記第一巻線器114を回転可能なように駆動し、前記座席107が上下に移動し、前記座席107の高さを変化し前記登高台103と連動して高さを変化し、設備の調節便利性を高める。
【００２４】
本発明の有益な効果は本発明に係る設備は初期状態の時、前記第一電気ローラーは仕事停止状態にあり、前記滑り止めブロックが内側の限界位置に位置し、前記プラテンが前記軸柄を前記圧合穴の一番外側の内壁に制限し、これにより上記の構造が初期状態の時に初期位置に位置し、後の仕事を調整でき、有効的に設備の協調性を高める。
【００２５】
設備が動作する時に、補修する必要な範囲によって調整する時に、前記第二電気ローラーが動作し、前記第一錐輪を回転可能なように駆動し、前記第一錐輪と噛み合う前記第二錐輪が回転可能なようにした後、前記滑り止めブロックと連動して外側に運行し、前記軸柄と連動して外側に運行し、前記ラダーが前記登高台と連動して外側に移動し、密閉する前記登高台を開き、左右両側の修理範囲を増加し、設備の調節性能を高める。
【００２６】
前記登高台の高さを調整する必要な時、前記第一電気ローラーが前記第一巻線器を回転可能なように駆動し、前記座席が上下に移動し、前記座席の高さを変化し前記登高台と連動して高さを変化し、設備の調節便利性を高める。
【００２７】
本発明に係る設備の構造が簡単で、使用が便利で、この設備は第二アスリート構造を使って登高台と連動して制御し、車輪構造を使ってロープを引いて設備の高さを調整し、有効的に設備の信頼性を高める。
【００２８】
以上に述べたのはただ本発明の具体的な実施方式で、しかし本発明の保護範囲はここに限らない。全部の創造的な労働を通じなく思いついた変化と取替は本発明の保護範囲にカバーされる。それゆえ本発明の保護範囲は特許請求の範囲が限定する保護範囲を基準とする。
【図１】
2019182644.tif 000003
【図２】
2019182644.tif 000004
【図３】
2019182644.tif 000005
【手続補正書】
【提出日】令和1年6月4日(2019.6.4)
【手続補正１】
【補正対象書類名】特許請求の範囲
【補正対象項目名】請求項１
【補正方法】変更
【補正の内容】
【請求項１】
補修用昇降機であって、頂座を含み、前記頂座の下端面に左右対称の第一支持レバーが固定的に設置され、前記第一支持レバーの下端面にスタンドが固定的に設置され、前記頂座の上端面に左右対称の第二支持レバーと第三支持レバーが固定的に設置され、前記第二支持レバーの上端面にクリップが固定的に設置され、前記第三支持レバーの上端面に第一電気ローラーが固定的に設置され、前記第一電気ローラーの出力軸の前端面に第一巻線器が固定的に設置され、前記第一巻線器の外表面にロープが設置され、前記第一支持レバーの外表面に第一滑りアームがスライド可能なように設置され、前記頂座の中に向かう前記第一滑りアームの端面に座席が固定的に設置され、前記座席の上端面に左右に通り抜けて上に向かうキャビティが設置され、前記キャビティに第二コードリールが回転可能なように設置され、前記第一巻線器の外表面に設置されるロープは前記第二コードリールを迂回し前記クリップと固定し、前記頂座の中に向かう前記座席の端面の間に第二滑りアームが固定的に設置され、前記第二滑りアームの外表面に取付ブロックが固定的に設置され、前記取付ブロックに下に向かう穴筐体が固定的に設置され、前記穴筐体の上端壁に第二電気ローラーが固定的に設置され、前記第二電気ローラーの出力軸の下端面に第一錐輪が固定的に設置され、前記第一錐輪の左右側に左右対称に第二錐輪が噛み合って設置され、前記頂座の中の前記第二錐輪と離れる端面にねじ軸が固定的に設置され、前記ねじ軸が回転可能なように前記穴筐体を通り抜けて前記キャビティと回転可能なように係合し接続し、前記ねじ軸の外表面に滑り止めブロックがねじで係合し接続し設置され、前記滑り止めブロックが前記第二滑りアームと摺動可能なように係合して接続し、前記頂座の中に向かう前記座席の端面に下に向かう圧合穴が固定的に設置され、前記圧合穴の上端壁に滑り止め筐体が設置され、前記頂座の中の前記滑り止め筐体と離れる端面に第三電気ローラーが固定的に設置され、前記第三電気ローラーの出力軸が前記滑り止め筐体の端壁と回転可能なように係合し接続し、前記第三電気ローラーの出力軸の外表面に前記滑り止め筐体と摺動可能なように係合して接続するプラテンがねじで係合し接続し設置され、前記プラテンが前記圧合穴に入って、前記頂座の中の前記圧合穴と離れる端面の間にハンガーが固定的に設置され、前記ハンガーの外表面に数組の軸柄がスライド可能なように設置され、前記軸柄の下側に取付体が設置され、前記取付体に回転穴が固定的に設置され、前記回転穴の上端壁に上に向かう第一横切筐体が設置され、前記回転穴の下端壁に下に向かう第二横切筐体が設置され、前記軸柄が前記第一横切筐体に入ってボルトを通じて前記取付体と固定し、前記回転穴に回転ブロックが回転可能なように設置され、前記回転ブロックの下端面にラダーが設置され、前記ラダーが前記第二横切筐体を通り抜けて外部空間に伸びて、前記ラダーの下側に登高台が設置され、前記登高台の上側に数組の前記登高台に位置し前後に通り抜ける穴溝が設置され、前記穴溝に輪体が設置され、前記輪体が前記ラダーの外表面に掛けて、前記頂座の中の一番外側と離れる前記軸柄が前記プラテンに前記圧合穴に取り付けられ、前記頂座の中に近づく前記軸柄が前記滑り止めブロックと固定し、前記スタンドが地面に置かれ、前記スタンドに重層体が固定的に設置されることを特徴とする補修用昇降機。
【手続補正２】
【補正対象書類名】明細書
【補正対象項目名】全文
【補正方法】変更
【補正の内容】
【発明の詳細な説明】
【技術分野】
【０００１】
本発明は昇降機分野に関し、具体的には補修用昇降機に関する。
【背景技術】
【０００２】
高い設備を補修する時に昇降機を使用する必要があり、現在の昇降機の構造が複雑で、壊れやすく、使用が不便な問題が存在し、コストも高く、多くの企業が使用することに不利である。
【先行技術文献】
【特許文献】
【０００３】
【特許文献１】中国特許出願公開第104150409号明細書
【発明の概要】
【発明が解決しようとする課題】
【０００４】
本発明は解決する必要な技術問題に対して補修用昇降機を提供し、それは上記の現在の技術問題を解決できる。
【課題を解決するための手段】
【０００５】
本発明によれば、補修用昇降機は頂座を含み、前記頂座の下端面に左右対称の第一支持レバーが固定的に設置され、前記第一支持レバーの下端面にスタンドが固定的に設置され、前記頂座の上端面に左右対称の第二支持レバーと第三支持レバーが固定的に設置され、前記第二支持レバーの上端面にクリップが固定的に設置され、前記第三支持レバーの上端面に第一電気ローラーが固定的に設置され、前記第一電気ローラーの出力軸の前端面に第一巻線器が固定的に設置され、前記第一巻線器の外表面にロープが設置され、前記第一支持レバーの外表面に第一滑りアームがスライド可能なように設置され、前記頂座の中に向かう前記第一滑りアームの端面に座席が固定的に設置され、前記座席の上端面に左右に通り抜けて上に向かうキャビティが設置され、前記キャビティに第二コードリールが回転可能なように設置され、前記第一巻線器の外表面に設置されるロープは前記第二コードリールを迂回し前記クリップと固定し、前記頂座の中に向かう前記座席の端面の間に第二滑りアームが固定的に設置され、前記第二滑りアームの外表面に取付ブロックが固定的に設置され、前記取付ブロックに下に向かう穴筐体が固定的に設置され、前記穴筐体の上端壁に第二電気ローラーが固定的に設置され、前記第二電気ローラーの出力軸の下端面に第一錐輪が固定的に設置され、前記第一錐輪の左右側に左右対称に第二錐輪が噛み合って設置され、前記頂座の中の前記第二錐輪と離れる端面にねじ軸が固定的に設置され、前記ねじ軸が回転可能なように前記穴筐体を通り抜けて前記キャビティと回転可能なように係合し接続し、前記ねじ軸の外表面に滑り止めブロックがねじで係合し接続し設置され、前記滑り止めブロックが前記第二滑りアームと摺動可能なように係合して接続し、前記頂座の中に向かう前記座席の端面に下に向かう圧合穴が固定的に設置され、前記圧合穴の上端壁に滑り止め筐体が設置され、前記頂座の中の前記滑り止め筐体と離れる端面に第三電気ローラーが固定的に設置され、前記第三電気ローラーの出力軸が前記滑り止め筐体の端壁と回転可能なように係合し接続し、前記第三電気ローラーの出力軸の外表面に前記滑り止め筐体と摺動可能なように係合して接続するプラテンがねじで係合し接続し設置され、前記プラテンが前記圧合穴に入って、前記頂座の中の前記圧合穴と離れる端面の間にハンガーが固定的に設置され、前記ハンガーの外表面に数組の軸柄がスライド可能なように設置され、前記軸柄の下側に取付体が設置され、前記取付体に回転穴が固定的に設置され、前記回転穴の上端壁に上に向かう第一横切筐体が設置され、前記回転穴の下端壁に下に向かう第二横切筐体が設置され、前記軸柄が前記第一横切筐体に入ってボルトを通じて前記取付体と固定し、前記回転穴に回転ブロックが回転可能なように設置され、前記回転ブロックの下端面にラダーが設置され、前記ラダーが前記第二横切筐体を通り抜けて外部空間に伸びて、前記ラダーの下側に登高台が設置され、前記登高台の上側に数組の前記登高台に位置し前後に通り抜ける穴溝が設置され、前記穴溝に輪体が設置され、前記輪体が前記ラダーの外表面に掛けて、前記頂座の中の一番外側と離れる前記軸柄が前記プラテンに前記圧合穴に取り付けられ、前記頂座の中に近づく前記軸柄が前記滑り止めブロックと固定する。
【０００６】
更の技術方案は前記スタンドが地面に置かれ、前記スタンドに重層体が固定的に設置され、これにより設備の安定性を高める。
【０００７】
本発明の有益な効果は、本発明に係る設備は初期状態の時、前記第一電気ローラーは仕事停止状態にあり、前記滑り止めブロックが内側の限界位置に位置し、前記プラテンが前記軸柄を前記圧合穴の一番外側の内壁に制限し、これにより上記の構造が初期状態の時に初期位置に位置し、後の仕事を調整でき、有効的に設備の協調性を高める。
【０００８】
設備が動作する時に、補修する必要な範囲によって調整する時に、前記第二電気ローラーが動作し、前記第一錐輪を回転可能なように駆動し、前記第一錐輪と噛み合う前記第二錐輪が回転可能なようにした後、前記滑り止めブロックと連動して外側に運行し、前記軸柄と連動して外側に運行し、前記ラダーが前記登高台と連動して外側に移動し、密閉する前記登高台を開き、左右両側の修理範囲を増加し、設備の調節性能を高める。
【０００９】
前記登高台の高さを調整する必要な時、前記第一電気ローラーが前記第一巻線器を回転可能なように駆動し、前記座席が上下に移動し、前記座席の高さを変化し前記登高台と連動して高さを変化し、設備の調節便利性を高める。
【００１０】
本発明に係る設備の構造が簡単で、使用が便利で、この設備は第二アスリート構造を使って登高台と連動して制御し、車輪構造を使ってロープを引いて設備の高さを調整し、有効的に設備の信頼性を高める。
【００１１】
以上に述べたのはただ本発明のより良い実施例で、本発明を限定することに使用されない。本発明の意義と原則のもとで行う全ての修正、同等の入れ替えと改善などは本発明の保護範囲に含まれる。
【発明の効果】
【００１２】
本発明の有益な効果は、本発明に係る設備は初期状態の時、前記第一電気ローラーは仕事停止状態にあり、前記滑り止めブロックが内側の限界位置に位置し、前記プラテンが前記軸柄を前記圧合穴の一番外側の内壁に制限し、これにより上記の構造が初期状態の時に初期位置に位置し、後の仕事を調整でき、有効的に設備の協調性を高める。
【図面の簡単な説明】
【００１３】
本発明の実施例また既存の技術の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１４】
【図１】図１は本発明の補修用昇降機の全体構造概略図である。
【図２】図２は図１の中のAの拡大概略図である。
【図３】図３は図１の中の座席の俯視構造概略図である。
【発明を実施するための形態】
【００１５】
本明細書に開示した全ての特徴、或いは開示した全ての方法、過程中のステップは、互いに排斥する特徴或いはステップ以外に、いかなる方式で組み合わせることができる。
【００１６】
本明細書（すべての従属請求項、要約と図面を含む）に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００１７】
図1~3が示すように、本発明の補修用昇降機は頂座111を含み、前記頂座111の下端面に左右対称の第一支持レバー101が固定的に設置され、前記第一支持レバー101の下端面にスタンド100が固定的に設置され、前記頂座111の上端面に左右対称の第二支持レバー112と第三支持レバー116が固定的に設置され、前記第二支持レバー112の上端面にクリップ113が固定的に設置され、前記第三支持レバー116の上端面に第一電気ローラー115が固定的に設置され、前記第一電気ローラー115の出力軸の前端面に第一巻線器114が固定的に設置され、前記第一巻線器114の外表面にロープが設置され、前記第一支持レバー101の外表面に第一滑りアーム106がスライド可能なように設置され、前記頂座111の中に向かう前記第一滑りアーム106の端面に座席107が固定的に設置され、前記座席107の上端面に左右に通り抜けて上に向かうキャビティ109が設置され、前記キャビティ109に第二コードリール110が回転可能なように設置され、前記第一巻線器114の外表面に設置されるロープは前記第二コードリール110を迂回し前記クリップ113と固定し、前記頂座111の中に向かう前記座席107の端面の間に第二滑りアーム125が固定的に設置され、前記第二滑りアーム125の外表面に取付ブロック120が固定的に設置され、前記取付ブロック120に下に向かう穴筐体122が固定的に設置され、前記穴筐体122の上端壁に第二電気ローラー121が固定的に設置され、前記第二電気ローラー121の出力軸の下端面に第一錐輪119が固定的に設置され、前記第一錐輪119の左右側に左右対称に第二錐輪118が噛み合って設置され、前記頂座111の中の前記第二錐輪118と離れる端面にねじ軸108が固定的に設置され、前記ねじ軸108が回転可能なように前記穴筐体122を通り抜けて前記キャビティ109と回転可能なように係合し接続し、前記ねじ軸108の外表面に滑り止めブロック117がねじで係合し接続し設置され、前記滑り止めブロック117が前記第二滑りアーム125と摺動可能なように係合して接続し、前記頂座111の中に向かう前記座席107の端面に下に向かう圧合穴201が固定的に設置され、前記圧合穴201の上端壁に滑り止め筐体200が設置され、前記頂座111の中の前記滑り止め筐体200と離れる端面に第三電気ローラー213が固定的に設置され、前記第三電気ローラー213の出力軸が前記滑り止め筐体200の端壁と回転可能なように係合し接続し、前記第三電気ローラー213の出力軸の外表面に前記滑り止め筐体200と摺動可能なように係合して接続するプラテン212がねじで係合し接続し設置され、前記プラテン212が前記圧合穴201に入って、前記頂座111の中の前記圧合穴201と離れる端面の間にハンガー104が固定的に設置され、前記ハンガー104の外表面に数組の軸柄211がスライド可能なように設置され、前記軸柄211の下側に取付体210が設置され、前記取付体210に回転穴202が固定的に設置され、前記回転穴202の上端壁に上に向かう第一横切筐体209が設置され、前記回転穴202の下端壁に下に向かう第二横切筐体207が設置され、前記軸柄211が前記第一横切筐体209に入ってボルトを通じて前記取付体210と固定し、前記回転穴202に回転ブロック208が回転可能なように設置され、前記回転ブロック208の下端面にラダー203が設置され、前記ラダー203が前記第二横切筐体207を通り抜けて外部空間に伸びて、前記ラダー203の下側に登高台103が設置され、前記登高台103の上側に数組の前記登高台103に位置し前後に通り抜ける穴溝205が設置され、前記穴溝205に輪体206が設置され、前記輪体206が前記ラダー203の外表面に掛けて、前記頂座111の中の一番外側と離れる前記軸柄211が前記プラテン212に前記圧合穴201に取り付けられ、前記頂座111の中に近づく前記軸柄211が前記滑り止めブロック117と固定する。
【００１８】
好ましくは前記スタンド100が地面に置かれ、前記スタンド100に重層体が固定的に設置され、これにより設備の安定性を高める。
【００１９】
本発明に係る設備は初期状態の時、前記第一電気ローラー115は仕事停止状態にあり、前記滑り止めブロック117が内側の限界位置に位置し、前記プラテン212が前記軸柄211を前記圧合穴201の一番外側の内壁に制限し、これにより上記の構造が初期状態の時に初期位置に位置し、後の仕事を調整でき、有効的に設備の協調性を高める。
【００２０】
設備が動作する時に、補修する必要な範囲によって調整する時に、前記第二電気ローラー121が動作し、前記第一錐輪119を回転可能なように駆動し、前記第一錐輪119と噛み合う前記第二錐輪118が回転可能なようにした後、前記滑り止めブロック117と連動して外側に運行し、前記軸柄211と連動して外側に運行し、前記ラダー203が前記登高台103と連動して外側に移動し、密閉する前記登高台103を開き、左右両側の修理範囲を増加し、設備の調節性能を高める。
【００２１】
前記登高台103の高さを調整する必要な時、前記第一電気ローラー115が前記第一巻線器114を回転可能なように駆動し、前記座席107が上下に移動し、前記座席107の高さを変化し前記登高台103と連動して高さを変化し、設備の調節便利性を高める。
【００２２】
本発明の有益な効果は本発明に係る設備は初期状態の時、前記第一電気ローラーは仕事停止状態にあり、前記滑り止めブロックが内側の限界位置に位置し、前記プラテンが前記軸柄を前記圧合穴の一番外側の内壁に制限し、これにより上記の構造が初期状態の時に初期位置に位置し、後の仕事を調整でき、有効的に設備の協調性を高める。
【００２３】
設備が動作する時に、補修する必要な範囲によって調整する時に、前記第二電気ローラーが動作し、前記第一錐輪を回転可能なように駆動し、前記第一錐輪と噛み合う前記第二錐輪が回転可能なようにした後、前記滑り止めブロックと連動して外側に運行し、前記軸柄と連動して外側に運行し、前記ラダーが前記登高台と連動して外側に移動し、密閉する前記登高台を開き、左右両側の修理範囲を増加し、設備の調節性能を高める。
【００２４】
前記登高台の高さを調整する必要な時、前記第一電気ローラーが前記第一巻線器を回転可能なように駆動し、前記座席が上下に移動し、前記座席の高さを変化し前記登高台と連動して高さを変化し、設備の調節便利性を高める。
【００２５】
本発明に係る設備の構造が簡単で、使用が便利で、この設備は第二アスリート構造を使って登高台と連動して制御し、車輪構造を使ってロープを引いて設備の高さを調整し、有効的に設備の信頼性を高める。
【００２６】
以上に述べたのはただ本発明の具体的な実施方式で、しかし本発明の保護範囲はここに限らない。全部の創造的な労働を通じなく思いついた変化と取替は本発明の保護範囲にカバーされる。それゆえ本発明の保護範囲は特許請求の範囲が限定する保護範囲を基準とする。